(57)【特許請求の範囲】
【請求項１】
送風機と熱交換器とマイナスイオン発生器を設けた空気調和機の室内ユニットにおいて、前記マイナスイオン発生器は前記室内ユニットの吹き出し送風路の中央部に設けられ、前記マイナスイオン発生器の近傍に導電体を設け、前記導電体は前記室内ユニットの筐体を構成する台枠の裏面、かつ、外から見えない位置に設置したことを特徴とする空気調和機の室内ユニット。
【請求項２】
前記導電体を前記室内ユニットのアースと電気的に接続したことを特徴とする請求項１に記載の空気調和機の室内ユニット。
【発明の詳細な説明】
【技術分野】
【０００１】
本発明は、室外ユニットと室内ユニットから構成される空気調和機における、マイナスイオン発生器を有する室内ユニットに関するものである。
【背景技術】
【０００２】
従来の空気調和機の室内ユニットは、ユニット本体内に送風機と熱交換器を収容し、送風機の作動によりユニット本体内に室内空気を吸込んで上記熱交換器を通過させて熱交換し、さらに送風機を介して吹き出し口より室内へ吹き出す。
【０００３】
近年このような室内空気に対する熱交換作用だけでなく、付加機能として、室内空気に含まれる塵埃などの不純物を除去して清浄化する機能を搭載した室内ユニットが提供されている。
【０００４】
上記付加機能は、室内空気中にはごく微細な塵埃がふくまれていて、これらを原因として花粉症やアレルギーなどが引き起こされる可能性が指摘され、またホコリ堆積により室内のダニなどの発生原因となっていることに対し、空気中の塵埃の除去等を通じ、清浄な空気を供給することを目的としている。
【０００５】
上記課題に対してマイナスイオン発生器を組み込んだ空気調和機が開示され、居住室内にマイナスイオンを直接、もしくは熱交換した空気とともに供給する。供給されたマイナスイオンは人体に吸収され細胞組織の活性化を図り、老廃物の排出を促進して新陳代謝を良好化することが知られている（例えば、特許文献１、２参照）。
【０００６】
また、室内送風機を介して室内へ吹き出す空気調和機の室内ユニットにおいて、室内熱交換器の空気吸込み側に配置され、ユニット本体内に吸込まれる室内空気から、塵埃などの不純物を除去して清浄化する空気清浄機である電気集塵機と、室内送風機の吹き出し送風路中に配置され、マイナスイオンを発生して室内へ供給するマイナスイオン発生器とを具備した室内ユニットがある（例えば、特許文献３参照）。
【特許文献１】実開昭６２−１２４４２１号公報
【特許文献２】特開平１１−７２２４０号公報
【特許文献３】特開２００１−７４２６５号公報
【発明の開示】
【発明が解決しようとする課題】
【０００７】
しかしながら、上記従来例では送風機と熱交換器を備えた空気調和機の室内ユニットにおいてマイナスイオン発生器を送風路中に配置しようとしたものであるが、マイナスイオン発生器を送風回路内に搭載した場合に、マイナスイオン発生器の近傍の室内ユニットの筐体や室内ユニットを設置する壁面が帯電することによって、室内ユニット筐体や近傍の壁面に埃が吸い寄せられて付着し、室内ユニット筐体や近傍の壁を汚してしまうという課題を有していた。
【０００８】
本発明は、上述のような課題を解決するためになされたものであり、マイナスイオン発生器の近傍の帯電を抑制し、埃の付着を防止する空気調和機を提供することを目的とする。
【課題を解決するための手段】
【０００９】
前記従来の課題を解決するために本発明の空気調和機の室内ユニットは、送風機と熱交換器とマイナスイオン発生器を設けた空気調和機の室内ユニットにおいて、マイナスイオン発生器は室内ユニットの吹き出し送風路の中央部に設けられ、マイナスイオン発生器の近傍に導電体を設け、導電体は室内ユニットの筐体を構成する台枠の裏面、かつ、外から見えない位置に設置したことを特徴とするものである。
【００１０】
これによって、マイナスイオン発生器や室内ユニット筐体が帯電しても、室内ユニット筐体の近傍に設けた導電体から放電するので、室内ユニット筐体に埃を吸い寄せない。その結果、室内ユニット筐体や室内ユニットを設置する壁面が埃の付着を防止でき、導電体は、外観からは見えない場所にあるので室内ユニットの外観の品位を損なうことなく、帯電を防止し、埃による汚れを防ぐことができる。
【００１１】
また、本発明の請求項２においては、導電体を室内ユニットのアースと電気的に接続したことを特徴としたものである。
【００１２】
これによって、室内ユニット筐体への帯電を効率的に放電させることが可能となり、マイ室内ユニット筐体や壁面への埃の付着を防止することができる。
【発明の効果】
【００１３】
本発明は、マイナスイオン発生器を設けたことによる室内ユニット筐体や設置する壁面への帯電を防止することで、埃の付着による汚れを防ぐことができる。
【発明を実施するための最良の形態】
【００１４】
第１の発明の空気調和機の室内ユニットは、送風機と熱交換器とマイナスイオン発生器を設けた空気調和機の室内ユニットにおいて、マイナスイオン発生器は室内ユニットの吹き出し送風路の中央部に設けられ、マイナスイオン発生器の近傍に導電体を設け、導電体は室内ユニットの筐体を構成する台枠の裏面、かつ、外から見えない位置に設置したことを特徴とするものであり、これによって、マイナスイオン発生器や室内ユニット筐体が帯電しても、室内ユニット筐体の近傍に設けた導電体から放電するので、室内ユニット筐体に埃を吸い寄せない。その結果、室内ユニット筐体や室内ユニットを設置する壁面が埃の付着を防止でき、導電体は、外観からは見えない場所にあるので室内ユニットの外観の品位を損なうことなく、帯電を防止し、埃による汚れを防ぐことができる。
【００１５】
第２の発明の空気調和機の室内ユニットは、特に第１の発明において、導電体を室内ユニットのアースと電気的に接続することによって、マイナスイオン発生器からの帯電を効率的に放電して、帯電を防止する構成を可能とする。
【００１６】
以下、本発明の実施の形態について図面を参照しながら説明する。なお、この実施の形態によって本発明が限定されるものではない。
【００１７】
（実施の形態１）
図１は本発明の第１の実施の形態における空気調和機の室内ユニットの斜視図である。
【００１８】
図１において、１はマイナスイオン発生器、２は導電体、３は前面枠（左）、４は前面枠（右）、５は前面パネル、６は台枠である。なお、空気調和機の内部には図示しないが、送風機と熱交換器が配されている。
【００１９】
マイナスイオン発生器１の近傍に導電体２を配置することにより、帯電を抑制し、台枠６や、空気調和機が設置される壁面への埃の付着を防止することができる。
【００２０】
これは、マイナスイオン発生器１や室内ユニット筐体を構成する台枠６が例えば帯電しても、台枠６の近傍に設けた導電体２から放電するので、室内ユニット筐体に埃を吸い寄せない。その結果、室内ユニット筐体や室内ユニットを設置する壁面が埃の付着を防止できる。
【００２１】
（実施の形態２）
図２は、本発明の第２の実施の形態における空気調和機を示す要部斜視図で、特に、図１における前面パネル５と前面枠（左）３と前面枠（右）４を外した上体を示すものである。
【００２２】
図２に示すように、マイナスイオン発生器１を設置する台枠６や、マイナスイオン発生器１の近傍に配置された左右ハネ７、上下ハネ８、それらが取り付けられた吹出しユニット９などの室内ユニットを構成する部品を導電体にすることによって，新たに導電体を追加することなく、埃の付着を防止できる。
【００２３】
（実施の形態３）
図３は、本発明の第３の実施の形態における空気調和機の室内ユニットの斜視図である
。
【００２４】
室内ユニットを設置する壁面１１付近の台枠６へ導電体２を設けることによって、壁面１１への帯電を効率よく放電することができ、特に壁面１１への埃の付着を抑制できる。
【００２５】
（実施の形態４）
図４は、本発明の第４の実施の形態における空気調和機の室内ユニットの斜視図であり、特に、図１における斜視図を裏面から見た斜視図である。
【００２６】
図４に示すように、台枠６の裏面に導電体２を設置することによって、外観から見えない位置で品位を損なうことなく、室内ユニット筐体や壁面への埃の付着を防止できる。
【００２７】
（実施の形態５）
図５は、本発明の第５の実施の形態における空気調和機の室内ユニットの斜視図であり、特に、図１における前面パネル５を外した状態を示す斜視図である。
【００２８】
図５に示すように、導電体２を室内ユニットのアースである熱交換器１０と電気的に接続することで、より効率的に導電体からの放電ができるため、室内ユニット筐体や壁面への埃の付着を防止することができる。
【産業上の利用可能性】
【００２９】
以上のように、本発明にかかる空気調和機は、マイナスイオン発生器を設けたことによる室内ユニット筐体や設置する壁面への帯電を防止することで、埃の付着による汚れを防ぐことができるので、マイナスイオン発生器を用いた室内空気の浄化が可能な空気清浄器等の用途にも適用できる。
【図面の簡単な説明】
【００３０】
【図１】本発明の実施の形態１に係る空気調和機の構成を示す斜視図
【図２】本発明の実施の形態２に係る空気調和機の構成を示す要部斜視図
【図３】本発明の実施の形態３に係る空気調和機の構成を示す斜視図
【図４】本発明の実施の形態４に係る空気調和機の構成を示す裏面斜視図
【図５】本発明の実施の形態５に係る空気調和機の構成を示す斜視図
【符号の説明】
【００３１】
１  マイナスイオン発生器
２  導電体
３  前面枠（左）
４  前面枠（右）
５  前面パネル
６  台枠
７  左右ハネ
８  上下ハネ
９  吹出しユニット
１０  室内ユニットの熱交換器
【図１】
0004701983.tif 000002
【図２】
0004701983.tif 000003
【図３】
0004701983.tif 000004
【図４】
0004701983.tif 000005
【図５】
0004701983.tif 000006